(57)【特許請求の範囲】
【請求項１】
水が流れ込む流入斜面路の上流部から貯水底にかけて土砂用導流路が形成され、該土砂用導流路は流入斜面路の上流部に、流入斜面路の一部を塞ぐように横方向に突出した横導流堤と、該横導流堤の先端部から貯水底までの流入斜面路に沿って築堤された縦導流堤とからなることを特徴とする土砂の集積構造。
【請求項２】
横導流堤の上流側には流入斜面路を横断した分流堤が築堤されたことを特徴とする請求項１に記載の土砂の集積構造。
【請求項３】
土砂用導流路の流出口付近には土砂用集積部が形成され、該土砂用集積部は流出口付近の土砂用集積エリアと、縦導流堤の先端から適宜離れた箇所に流出口を横切るように築堤された堰堤とにより形成されたことを特徴とする請求項１または２に記載の土砂の集積構造。
【請求項４】
土砂用導流路は上流側から下流側にかけて漸次幅広に形成されたことを特徴とする請求項１〜３のいずれかに記載の土砂の集積構造。
【請求項５】
縦導流堤の先端部には流出口と反対方向に伸びた堰堤が築堤されたことを特徴とする請求項１〜４のいずれかに記載の土砂の集積構造。
【請求項６】
縦導流堤にはシルトプロテクターが形成されたことを特徴とする請求項１〜５のいずれかに記載の土砂の集積構造。
【請求項７】
横導流堤、縦導流堤は湖底から排出された堆積土で築堤されたことを特徴とする請求項１〜６のいずれかに記載の土砂の集積構造。
【発明の詳細な説明】
【０００１】
【発明の属する技術分野】
本発明はダム湖、貯水池及び河川に形成された土砂の集積構造に関するものである。
【０００２】
【従来の技術】
一般的に、ダム湖は水の流れがほとんどないため、濁水とともに流れ込んだウオッシュロードと呼ばれる微細粒土や浮遊砂などの土砂が湖底に堆積している。この土砂の堆積が多くなると貯水量が低下してダム本来の機能が発揮できなくなるため、種々の方法で浚渫が行われている。
【０００３】
【発明が解決しようとする課題】
しかし、平均粒径が０．０１７ｍｍ程度のウオッシュロードと、粒径が０．１５〜０．２５ｍｍの浮遊砂とは、薄い層として湖底全域にわたって堆積しているため、浚渫エリアが広範になって効率的な浚渫ができないという問題があった。
【０００４】
本発明は上記のような問題に鑑みてなされたものであり、その目的は、土砂の効率的な浚渫ができる集積構造を提供することである。
【０００５】
【課題を解決するための手段】
以上の課題を解決するための本発明の土砂の集積構造の要旨は、水が流れ込む流入斜面路の上流部から貯水底にかけて土砂用導流路が形成され、該土砂用導流路は流入斜面路の上流部に、流入斜面路の一部を塞ぐように横方向に突出した横導流堤と、該横導流堤の先端部から貯水底までの流入斜面路に沿って築堤された縦導流堤とからなることを特徴とする。また横導流堤の上流側には流入斜面路を横断した分流堤が築堤されたことを含む。また土砂用導流路の流出口付近には土砂用集積部が形成され、該土砂用集積部は流出口付近の土砂用集積エリアと、縦導流堤の先端から適宜離れた箇所に流出口を横切るように築堤された堰堤とにより形成されたことを含む。また土砂用導流路は上流側から下流側にかけて漸次幅広に形成されたことを含む。また縦導流堤の先端部には流出口と反対方向に伸びた堰堤が築堤されたことを含む。また縦導流堤にはシルトプロテクターが形成されたことを含む。さらに横導流堤、縦導流堤は湖底から排出された堆積土で築堤されたことを含むものである。
【０００６】
ウオッシュロードや浮遊砂を含んだ濁水が土砂用導流路を通ってダム湖（または貯水池）に流れ込むため、ウオッシュロードや浮遊砂などの土砂をダム湖の所定箇所、すなわちダム湖全体ではなくある一部の箇所に集積させることができる。また、これらの土砂をダム湖の形状に合わせて、最も効率的な浚渫ができる箇所に集積させることができる。また分流堤により大きな石や木の枝などをせき止めることができる。濁水とともにダム湖に流れ込んだウオッシュロードや浮遊砂などの土砂を湖底における土砂用集積エリアに集積させることができる。また上流側から下流側にかけて漸次幅広に形成された土砂用導流路によって濁水を上流側から下流にかけて漸次遅く流することがができるので、ウオッシュロードや浮遊砂などの土砂を土砂用集積エリアに集積させることができる。また縦導流堤の先端部に流出口と反対方向に設けた堰堤より、ウオッシュロードや浮遊砂などの土砂を拡散させずに土砂用集積エリアに集積することができる。湖底から排出された堆積土で縦導流堤および堰堤が築堤されたことにより、堆積土の有効利用が図れる。ウオッシュロードや浮遊砂などの土砂をダム湖の一定箇所に集積させたことにより、一箇所で効率的な浚渫作業をすることができるとともに、効率的な浚渫作業をすることができる箇所にウオッシュロードや浮遊砂などの土砂を集積することができる。
【０００７】
【発明の実施の形態】
以下、本発明の土砂の集積構造（以下集積構造という）について図面に基づいて説明する。各実施の形態において同じ構成は同じ符号を付して説明し、異なった構成にのみ異なった符号を付して説明する。この集積構造はダム湖、貯水池および河川に形成されるものであるが、以下の実施の形態においては、ダム湖に形成された集積構造について説明する。
【０００８】
図１および２は第１の実施の形態の集積構造１を示したものである。この集積構造１はダム湖２に水を流し込む流入斜面路３に、ウオッシュロードや浮遊砂などの土砂を含んだ濁水を流す土砂用導流路（以下導流路という）４と、この導流路４の流出口付近に形成された土砂用集積部（以下集積部という）５とから構成されている。また、上記のウオッシュロードは平均粒径が１７μ程度の微細粒土をいい、浮遊砂は粒径が０．１５〜０．２５ｍｍの土砂をいう。
【０００９】
導流路４は流入斜面路３の分流堤６の下流側に設けた横導流堤７と、該横導流堤７の先端部から湖底までの流入斜面路３に築堤された縦導流堤８とから構成されている。この横導流堤７および縦導流堤８は湖底から排出された堆積土により築堤されたものであり、前者は右岸（下流側に向かって）から左岸にかけて流入斜面路３の一部を塞ぐようにして築堤され、後者は横導流堤７の先端部から湖底にかけて導流路４が漸次広くなるように築堤されている。また縦導流堤８の水没部から先端部にかけての潜堤部にシルトプロテクター９が形成されている。
【００１０】
このシルトプロテクター９は、図３に示すように、フロータ１０ａで吊り下げられたカーテン１０ｂの下端部が潜堤部８ａに固定されて形成されている。またフロータ１０ａとカーテン１０ｂとの間に１ｍ程度の隙間１０ｃを設けることにより、湖内と導流路４との水位差によってシルトプロテクター９に作用する力を低減させている。
【００１１】
また導流路４は、図１において左岸側に形成されているが、左右どちらかに形成するかは、ダム湖２の水理特性や地形特性などを考慮してきめられる。さらに流入斜面路３の水深が浅い場合は、シルトプロテクター９のみ、もしくは縦導流堤８のみで導流路４を形成することもできる。
【００１２】
このように形成された導流路４は自然の河川と同じように、ウオッシュロードや浮遊砂などの土砂を含んだ濁水１２が上流側から下流側にかけて漸次ゆっくりと流れ、河口に相当する流出口１３付近で流れが止まるようになっている。
【００１３】
一方、流出口１３付近における集積部５は、土砂用集積エリア（以下集積エリアという）１４と、湖底から排出された堆積土によって築堤された堰堤１５、１６とから構成されている。このように集積エリア１４の周囲に形成された堰堤１５、１６によって流出口付近には窪み、すなわち集積部５が形成されている。したがって、分流堤６で大きな石などと分別されたウオッシュロードや浮遊砂などの土砂を含んだ濁水１２は、導流路４からダム湖２に流れ込むことにより、前側の堰堤１５で留められるとともに、後側の堰堤１６で他に拡散されず、ここに土砂が沈殿するようになっている。
【００１４】
図４および５は第２の実施の形態の集積構造１７を示したものである。この集積構造１７は集積部５をダム湖２の地形を利用して、ウオッシュロードや浮遊砂などの土砂が集積しやすい窪み部に形成したことが特徴であり、流出口１３付近における自然に形成された突起部１８が前側の堰堤１５の代わりとなって、後側の堰堤１６とともに集積部５を形成している。このように集積構造１７は、ダム湖２の地形を利用して集積部５を形成した以外は第１の実施の形態の集積構造１と同じ構成である。したがって、前記と同様に、分流堤６で大きな石などと分別された濁水１２は、導流路４からダム湖２に流れ込んで、突起部１８で留められ、かつ後側の堰堤１６で他に拡散しないようになっている。
【００１５】
【発明の効果】
ウオッシュロードや浮遊砂などの土砂を含んだ濁水が導流路を通ってダム湖に流れ込むため、土砂をダム湖の所定箇所、すなわちダム湖全体ではなく、ある一定の箇所に集積させることができる。
【００１６】
ウオッシュロードや浮遊砂などの土砂をダム湖の形状に合わせて、最も効率的な浚渫ができる箇所に集積することができる。
【００１７】
分流堤によって大きな石や木の枝などをせき止めることができる。
【００１８】
濁水とともにダム湖に流れ込んだウオッシュロードや浮遊砂などの土砂を湖底の集積エリアに集積させることができる。
【００１９】
上流側から下流側にかけて漸次幅広に形成された導流路によって濁水を上流側から下流にかけて漸次遅く流することがができるので、ウオッシュロードや浮遊砂などの土砂を集積エリアに集積させることができる。
【００２０】
堰堤よってウオッシュロードや浮遊砂などの土砂を拡散させずに集積エリアに集めることができる。
【００２１】
湖底から排出された堆積土で横横導流堤、縦横導流堤および堰堤が築堤されたことにより、堆積土の有効利用が図れる。
【００２２】
ウオッシュロードや浮遊砂などの土砂をダム湖の一定箇所に集積させることができるため、効率的な浚渫作業をすることができるとともに、効率的な浚渫作業をすることができる箇所に土砂を集積することができる。
【図面の簡単な説明】
【図１】第１の実施の形態の集積構造の平面図である。
【図２】図１の縦断面図である。
【図３】（１）は図１の横断面図、（２）はシルトプロテクターの正面図である。
【図４】第２の実施の形態の集積構造の平面図である。
【図５】図２の断面図である。
【符号の説明】
１、１７  集積構造
２  ダム湖
３  流入斜面路
４  導流路
５  集積部
６  分流堤
７  横導流堤
８  縦導流堤
９  シルトプロテクター
１０ａ  フロータ
１０ｂ  カーテン
１０ｃ  隙間
１２  濁水
１３  流出口
１４  集積エリア
１５、１６  堰堤
１８  突起部
【図１】
0003996407.tif 000002
【図２】
0003996407.tif 000003
【図３】
0003996407.tif 000004
【図４】
0003996407.tif 000005
【図５】
0003996407.tif 000006